(57)【要約】【課題】  液晶パネルのセルギャップなどのバラツキにより液晶パネルの階調データが微妙に異なるため、一つの階調データを複数の液晶パネルに適用すると、画質劣化の原因となることがある。【解決手段】セルギャップの厚さやトランジスタのＩ／Ｖ特性に対応する階調特性を予め測定しておき、セルギャップやトランジスタのＩ／Ｖ特性と基準となる階調データから適切な階調データに補正できるように補正値を定める。さらに補正値とセルギャップの厚さ、液晶パネルのトランジスタのＩ／Ｖ特性などから個々の液晶パネルに適切な階調データを導き出す。【選択図】図１
2006227453.tif 000002
【特許請求の範囲】
【請求項１】
液晶パネルと、前記液晶パネルを駆動するドライバーと、不揮発性メモリーを備えるとともに、
前記液晶パネルのデータを前記不揮発性メモリーに記憶させて、前記液晶パネルのデータから液晶パネルの階調データを補正し、補正された階調データを前記不揮発性メモリーに記憶させる手段を備えることを特徴とするOLE_LINK1液晶表示装置OLE_LINK1。
【請求項２】
液晶パネルのデータが液晶パネルのセルギャップ、トランジスタ素子のＩ／Ｖ特性、コモン電極の配線幅のいずれかを含むことを特徴とする請求項１に記載の液晶表示装置。
【発明の詳細な説明】
【技術分野】
【０００１】
本発明は、携帯型ゲーム機、カー・ナビゲーション・システム、携帯型テレビ、携帯型情報端末等に用いられる表示装置、特に高画質表示に適した液晶表示装置に関するものである。
【背景技術】
【０００２】
従来、ガラス基板上に画素電極を形成すると共に、各画素電極に対応してａ−Ｓｉ膜やｐ−Ｓｉ膜を用いたＴＦＴ素子を形成して、各ＴＦＴ素子の電極へ電圧を印加して液晶を駆動する液晶表示装置が実用化されている。ＴＦＴ素子としてｐ−Ｓｉ膜を用いた液晶表示装置は、シフトレジスタ等の周辺駆動回路を構成するトランジスタも同様の工程で同一の基板上に形成することができるため、高集積化に適しており注目されている。
【発明の開示】
【発明が解決しようとする課題】
【０００３】
従来の液晶表示装置には、次のような問題があった。すなわち、液晶パネルの大量生産時に、液晶パネルのセルギャップなどバラツキがある為、液晶パネルの階調データが微妙に異なることがある。その為、一つの階調データを複数の液晶パネルに適用すると、画質劣化の原因となることがある。また、個々の液晶パネルに最適な階調データにあわせるには、個々の液晶パネルの階調データを測定し、階調データを補正しなければいけない。その為、大量生産時にコスト増大の原因となる。
【０００４】
そこで本発明は、個々の液晶パネルの階調データを測定することなしに、液晶が持つ固有値から階調データを補正することとする。
【課題を解決するための手段】
【０００５】
初めにそれぞれの液晶パネルのセルギャップ厚、液晶パネルのトランジスタのＩ／Ｖ特性を液晶駆動装置の不揮発性のメモリーに記憶させる。続いて、セルギャップの厚さ、液晶パネルのトランジスタのＩ／Ｖ特性により階調データが異なるので、セルギャップの厚さやトランジスタのＩ／Ｖ特性に対応する階調特性を予め測定しておく。さらに階調特性から、補正時にセルギャップやトランジスタのＩ／Ｖ特性と基準となる階調データから適切な階調データに補正できるように補正値を導き出す。調整時においては、導き出された補正値とセルギャップの厚さ、液晶パネルのトランジスタのＩ／Ｖ特性などから個々の液晶パネルに適切な階調データを導き出すこととなる。
【発明の効果】
【０００６】
このように、本発明では、セルギャップ厚さやトランジスタのＩ／Ｖ特性等の液晶パネル等の固有値を不揮発性のメモリーに記憶させておくことで、予め決めておいた補正値により、調整時に、適切な階調データに補正することが出来る。従って全ての液晶パネルの階調特性を測定する必要がなくなるので、製造時間とコストを大幅に削減することが可能となる。さらに高画質で適切な階調データを持つ液晶パネルを提供することが出来る。
【発明を実施するための最良の形態】
【０００７】
本発明の液晶表示装置は、液晶パネルと、液晶パネルを駆動するドライバーと、不揮発性メモリーを備え、液晶パネルのデータを不揮発性メモリーに記憶させて、液晶パネルのデータから液晶パネルの階調データを補正し、補正された階調データを不揮発性メモリーに記憶させている。液晶パネルのデータが液晶パネルのセルギャップ、トランジスタ素子のＩ／Ｖ特性、コモン電極の配線幅のいずれかを含んでいる。
【実施例】
【０００８】
以下にＥＥＰＲＯＭに記憶された液晶パネルのデータからから液晶パネルに適切な階調データを導き出すまでの手段を図１、図２、図３を用いて詳細に説明する。
【０００９】
本実施例では液晶パネルのデータとして、トランジスタのＩ／Ｖ特性やセルギャップを用いている。
【００１０】
初めに液晶パネルのセルギャップの公差を考慮して数種類のセルギャップに分類し、分類された液晶パネルの階調特性を測定する。同様にトランジスタのＩ／Ｖ特性をもとに数種類に分類し、分類された液晶パネルの階調特性を測定する。次に、測定された階調データとセルギャップから目標とする階調データへの補正値を定める。図２では階調データのグラフ１３が示されている。階調データのグラフ１３は横軸に階調（黒から白）、縦軸に輝度をあらわしている。本実施例の階調データを示すグラフ１３では、目標とする階調データ１１に対して、測定された階調データ１２は輝度プラス方向に数カウントだけずれている。次に、測定された階調データ１２を基に、図３、図４に示すようなセルギャップやトランジスタのＩ／Ｖ特性の値に対応した補正値のデータを作成する。一般にセルギャップが小さいと、測定された階調データ１２が輝度のプラス方向にずれ、セルギャップが大きいと輝度のマイナス方向にずれることが判っている。トランジスタのＩ／Ｖ特性に関しては、トランジスタのＩ／Ｖ特性が大きいと、測定された階調データ１２が輝度のマイナス方向にずれ、トランジスタのＩ／Ｖ特性が小さいと、測定された階調データ１２が輝度のプラス方向にずれることが判っている。
【００１１】
続いて、液晶駆動装置１の調整時の構成と手順について説明する。図１は液晶駆動装置１の基本的な構成図である。図１で液晶ドライバー３は液晶パネル２に接続されていて、液晶パネル２を駆動している。更に液晶ドライバー３はＣＰＵ５に接続されている。また不揮発性のメモリーであるＥＥＰＲＯＭ７と、画像データなどが記憶されているメモリー５と入出力を司るＩ／Ｏ４がＣＰＵ５に接続されている。本実施の形態では、ＥＥＰＲＯＭ７に液晶のトランジスタのＩ／Ｖ特性データ８とセル・ギャップ・データ９等のデータが調整前に予め記憶されている。またＥＥＰＲＯＭ７には、補正された階調データ１５が記憶される領域が確保されている。更に液晶駆動装置１には、調整用のＰＣ１４が接続されている。ＰＣ１４には、図３、図４に示すようなセルギャップやトランジスタのＩ／Ｖ特性の値に対応した補正値のデータが入力されている。上述した構成で階調データの補正時の手順を説明する。最初にＥＥＰＲＯＭ７に記憶されたセル・ギャップ・データ９と液晶のトランジスタのＩ／Ｖ特性データ８がＩ／Ｏ４を介してＰＣ１４に転送される。転送されたデータと図３、図４で示す階調データ補正値との対応表から補正値を導き出す。本実施の形態では、セルギャップ１．４μｍ、トランジスタのＩ／Ｖ特性を２倍とする。よって対応表から両者の補正値を合わせると、補正値１ということになる。この補正値から測定された階調データ１２から、階調のプラス方向に補正値１ずらし、補正された階調データ１５を導く。このように導かれた補正された階調データ１５は、ＥＥＰＲＯＭ７に記憶されることとなる。調整後、液晶駆動装置が駆動する時にＥＥＰＲＯＭ７に記憶された補正された階調データ１５を元に画像を表示するので、個々の液晶パネルに画質の高い画像を表示することが可能となる。
【００１２】
以上、述べたような構成と手順を用いることで、個々の液晶パネルの階調データを測定する必要が無くなり、製造時の調整時間とコストが大幅に削減できる。更に、個々の液晶パネルに適切な補正された階調データ１５を用いて画像を表示するので、画質の高い液晶パネルを供給することが可能となる。
【産業上の利用可能性】
【００１３】
カラー液晶装置において、セルギャップ厚さやトランジスタのＩ／Ｖ特性等の液晶パネルの固有値を不揮発性のメモリーに記憶させておくことで、予め決めておいた補正値により、調整時に、適切な階調データに補正することが出来る。従って全ての液晶パネルの階調特性を測定する必要がなくなるので、製造時間とコストを大幅に削減することが可能となる。さらに高画質で適切な階調データを持つ液晶パネルを提供することが出来る。
【図面の簡単な説明】
【００１４】
【図１】液晶駆動装置の基本的な構成図
【図２】階調データのグラフ
【図３】セルギャップと階調データ補正値との対応表
【図４】トランジスタのＩ／Ｖ特性と階調データ補正値との対応表
【符号の説明】
【００１５】
１    液晶駆動装置
２    液晶パネル
３    液晶ドライバー
４    Ｉ／Ｏ
５    ＣＰＵ
６    メモリー
７    ＥＥＰＲＯＭ
８    液晶のトランジスタのＩ／Ｖ特性データ
９    セル・ギャップ・データ
１１  目標とする階調データ
１２  測定された階調データ
１３  階調特性
１４  ＰＣ
１５  補正された階調データ
【図１】
2006227453.tif 000003
【図２】
2006227453.tif 000004
【図３】
2006227453.tif 000005
【図４】
2006227453.tif 000006